(57)【要約】    【課題】  通信回線を流れるフレームを，当該通信回線に影響を与えることなく確認できる光通信装置を提供する。    【解決手段】  第１の保守フレームを含む第１のフレーム群を伝送する第１の光信号を，第１の電気信号に変換する第１の変換部と，第１の電気信号を受け取り，第１のフレーム群を伝送する第２の電気信号を生成するとともに，第１の電気信号を出力するフレーム複製部と，フレーム複製部が出力した第１の電気信号を，第２の光信号に変換する第２の変換部と，フレーム複製部が生成した第２の電気信号を，第３の光信号に変換する第３の変換部とを備えたことを特徴とする光通信装置。【選択図】  図１
2006115029.tif 000002
【特許請求の範囲】
【請求項１】
第１の保守フレームを含む第１のフレーム群を伝送する第１の光信号を，第１の電気信号に変換する第１の変換部と，
前記第１の電気信号を受け取り，前記第１のフレーム群を伝送する第２の電気信号を生成するとともに，前記第１の電気信号を出力するフレーム複製部と，
前記フレーム複製部が出力した前記第１の電気信号を，第２の光信号に変換する第２の変換部と，
前記フレーム複製部が生成した前記第２の電気信号を，第３の光信号に変換する第３の変換部と，
を備えたことを特徴とする光通信装置。
【請求項２】
前記第２の電気信号が伝送する前記第１のフレーム群を構成する複数のフレームのうちの一部のフレームを通過させるフィルタをさらに備え，
前記第３の変換部は，前記一部のフレームを伝送する前記第２の電気信号を，前記第３の光信号に変換することを特徴とする請求項１に記載の光通信装置。
【請求項３】
前記フィルタは，前記一部のフレームに前記第１の保守フレームが含まれるように，前記一部のフレームを通過させることを特徴とする請求項２に記載の光通信装置。
【請求項４】
前記第２の変換部は，第２の保守フレームを含む第２のフレーム群を伝送する第４の光信号を，第３の電気信号に変換し，
前記フレーム複製部は，前記第３の電気信号を受け取り，前記第２のフレーム群を伝送する第４の電気信号を生成するとともに，前記第３の電気信号を出力し，
前記第１の変換部は，前記フレーム複製部が出力した前記第３の電気信号を，第５の光信号に変換し，
前記第３の変換部は，前記フレーム複製部が生成した前記第４の電気信号を，少なくとも前記第２の保守フレームを伝送する第６の光信号に変換することを特徴とする請求項１に記載の光通信装置。
【請求項５】
前記第２の電気信号及び前記第４の電気信号の一方を選択する選択部をさらに備え，
前記第３の変換部は，前記選択部が選択した前記第２の電気信号又は前記第４の電気信号を，前記第３の光信号又は前記第６の光信号に変換することを特徴とする請求項４に記載の光通信装置。
【発明の詳細な説明】
【技術分野】
【０００１】
本発明は，光通信装置に関する。本発明は，特に，通信回線を流れるフレームを，当該通信回線に影響を与えることなく確認できる光通信装置に関する。
【背景技術】
【０００２】
従来のパケットキャプチャ装置として，特開２００１−１０３０９０号公報（特許文献１）に開示されたものがある。上記従来のパケットキャプチャ装置は，通信ネットワークに接続され，通信ネットワーク上に伝送されるパケットを取り込み，データ通信装置やネットワーク回線の通信品質の評価等を行っていた。
【特許文献１】特開２００１−１０３０９０号公報
【発明の開示】
【発明が解決しようとする課題】
【０００３】
しかしながら，上記従来のパケットキャプチャ装置は，通信ネットワークにおいて実際にパケットが流れている実回線自体に接続しなければならないため，ネットワーク回線の通信品質の評価等を行う際に，実回線を維持できないという問題が生じていた。
【０００４】
よって，本発明は，上記の課題を解決することのできる光通信装置を提供することを目的とする。この目的は特許請求の範囲における独立項に記載の特徴の組み合わせにより達成される。また従属項は本発明の更なる有利な具体例を規定する。
【課題を解決するための手段】
【０００５】
上記目的を達成するため，本発明の一形態によれば，第１の保守フレームを含む第１のフレーム群を伝送する第１の光信号を，第１の電気信号に変換する第１の変換部と，第１の電気信号を受け取り，第１のフレーム群を伝送する第２の電気信号を生成するとともに，第１の電気信号を出力するフレーム複製部と，フレーム複製部が出力した第１の電気信号を，第２の光信号に変換する第２の変換部と，フレーム複製部が生成した第２の電気信号を，第３の光信号に変換する第３の変換部と，を備えたことを特徴とする光通信装置を提供する。
【０００６】
上記光通信装置は，第２の電気信号が伝送する第１のフレーム群を構成する複数のフレームのうちの一部のフレームを通過させるフィルタをさらに備え，第３の変換部は，一部のフレームを伝送する第２の電気信号を，第３の光信号に変換することが好ましい。
【０００７】
上記光通信装置において，フィルタは，一部のフレームに第１の保守フレームが含まれるように，一部のフレームを通過させることが好ましい。
【０００８】
上記光通信装置において，第２の変換部は，第２の保守フレームを含む第２のフレーム群を伝送する第４の光信号を，第３の電気信号に変換し，フレーム複製部は，第３の電気信号を受け取り，第２のフレーム群を伝送する第４の電気信号を生成するとともに，第３の電気信号を出力し，第１の変換部は，フレーム複製部が出力した第３の電気信号を，第５の光信号に変換し，第３の変換部は，フレーム複製部が生成した第４の電気信号を，少なくとも第２の保守フレームを伝送する第６の光信号に変換することが好ましい。
【０００９】
上記光通信装置は，第２の電気信号及び第４の電気信号の一方を選択する選択部をさらに備え，第３の変換部は，選択部が選択した第２の電気信号又は第４の電気信号を，第３の光信号又は第６の光信号に変換することが好ましい。
【発明を実施するための最良の形態】
【００１０】
以下，図面を参照しつつ，発明の実施形態を通じて本発明を説明するが，以下の実施形態は特許請求の範囲に係る発明を限定するものではなく，また，実施形態の中で説明されている特徴の組み合わせのすべてが発明の解決手段に必須であるとは限らない。
【００１１】
図１は，本発明の光通信装置１００の第１実施形態の構成を示す図である。光通信装置１００は，第１の変換部及び第２の変換部の一例である変換回路１１０及び１１２と，ＰＨＹ回路１２０及び１２２と，ミラーリング部２００とを備えて構成される。本実施形態の光通信装置１００は，変換回路１１０及び１１２に光伝送路１１４及び１１６がそれぞれ接続されており，光信号を光伝送路１１４から受け取り，変換回路１１０，ＰＨＹ回路１２０，ミラーリング部２００，ＰＨＹ回路１２２，及び変換回路１１２を経由する信号経路Ｉを介して，当該光信号を光伝送路１１６に供給し，また，光信号を光伝送路１１６から受け取り，変換回路１１２，ＰＨＹ回路１２２，ミラーリング部２００，ＰＨＹ回路１２０，及び変換回路１１０を経由する信号経路ＩＩを介して，当該光信号を光伝送路１１４に供給する。
【００１２】
また，本実施形態の光通信装置１００は，ミラーリング部２００において，信号経路Ｉ及び／又は信号経路ＩＩを流れるフレーム群を複製し，その少なくとも一部を伝送する光信号を生成して，光伝送路１１８に供給する。以下において，本実施形態の光通信装置１００の各部の構成を説明する。
【００１３】
変換回路１１０及び１１２は，それぞれ，光伝送路１１４及び１１６を伝搬した光信号を受け取り，これを電気信号（シリアル信号）に変換してＰＨＹ回路１２０及び１２２に供給するとともに，ＰＨＹ回路１２０及び１２２から出力された電気信号（シリアル信号）を受け取り，これを光信号に変換して光伝送路１１４及び１１６に供給する。
【００１４】
本実施形態において，各光信号は，イーサネットフレーム及びデータフレームの他に，保守フレーム，ルーティングプロトコル制御フレーム，フロー制御フレーム，エラーフレーム等を含むフレーム群を伝送しており，変換回路１１０及び１１２は，光信号を電気信号に変換するときに，当該フレーム群をそのまま電気信号に伝送させるよう変換する。すなわち，本実施形態において，変換回路１１０及び１１２が変換した電気信号は，保守フレーム，ルーティングプロトコル制御フレーム，フロー制御フレーム，エラーフレーム等のイーサネットフレームとは認識されないフレームもそのまま伝送する。
【００１５】
ＰＨＹ回路１２０及び１２２は，それぞれ，変換回路１１０及び１１２から供給されたシリアル信号（電気信号）をパラレル信号（電気信号）に変換して，ミラーリング部２００に供給する。また，本実施形態においてミラーリング部２００を構成するフレーム複製部２１０は，電気信号としてパラレル信号を出力しており，ＰＨＹ回路１２０及び１２２は，ミラーリング部２００から供給されたパラレル信号（電気信号）を，シリアル信号（電気信号）に変換して，それぞれ変換回路１１０及び１１２に供給する。本実施形態では，変換回路１１０及び１１２とＰＨＹ回路１２０及び１２２を別個に設けているが，これらは一体に構成されてもよい。
【００１６】
ミラーリング部２００は，スプリッタ１３０及び１３２を有するフレーム複製部２１０と，フィルタ１４０及び１４２と，ＦＩＦＯ１５０及び１５２と，第３の変換部の一例であるＰＨＹ回路１６０及び１６２と，変換回路１７０及び１７２を有して構成される。
【００１７】
スプリッタ１３０及び１３２は，それぞれ，ＰＨＹ回路１２０及び１２２から供給された電気信号を複製する。すなわち，スプリッタ１３０及び１３２は，それぞれ，受け取った電気信号をＰＨＹ回路１２２及び１２０に供給するとともに，受け取った電気信号を複製してフィルタ１４０及び１４２に供給する。これにより，ＰＨＹ回路１２０及び１２２からスプリッタ１３０及び１３２に供給された電気信号に伝送されたフレーム群を，スプリッタ１３０及び１３２からフィルタ１４０及び１４２に供給される電気信号に，そのまま伝送させることができる。なお，スプリッタ１３０及び１３２は，ＰＨＹ回路１２０及び１２２から電気信号としてパラレル信号を受け取り，これを複製してフィルタ１４０及び１４２に供給している。
【００１８】
フィルタ１４０及び１４２は，スプリッタ１３０及び１３２から供給された電気信号に伝送されたフレーム群を構成する複数のフレームにフィルタをかけて，一部のフレームを通過させる。すなわち，フィルタ１４０及び１４２は，フレーム群を構成する複数のフレームから，所定のフレームを取り除いた通過フレームのみを伝送する電気信号を生成し，ＦＩＦＯ１５０及び１５２に供給する。フィルタ１４０及び１４２は，フレーム群を構成する複数のフレームから任意のフレームを選択して通過フレームを生成し，ＦＩＦＯ１５０及び１５２に供給できるよう構成されている。なお，フィルタ１４０及び１４２は，通過フレームに，保守フレームが含まれるように，電気信号を生成してもよい。また，フィルタ１４０及び１４２は，例えばＶｏＩＰに関するフレーム等の特定の用途に用いられるフレームを通過させるように電気信号を生成してもよい。
【００１９】
ＦＩＦＯ１５０及び１５２は，それぞれ，フィルタ１４０及び１４２とＰＨＹ回路１６０及び１６２との間に設けられている。ＦＩＦＯ１５０及び１５２は，フィルタ１４０及び１４２から受け取ったフレーム群を格納し，ＰＨＹ回路１６０及び１６２から要求された動作周波数に応じて，格納したフレーム群をＰＨＹ回路１６０及び１６２に供給する。これにより，変換回路１１０及び１１２と，変換回路１７０及び１７２との間の送受信周波数が異なる場合であっても，フレームの送受信を行うことができる。
【００２０】
ＰＨＹ回路１６０及び１６２は，ＦＩＦＯ１５０及び１５２から供給されたフレーム群を伝送するパラレル信号（電気信号）を，シリアル信号（電気信号）に変換して変換回路１７０及び１７２に供給する。変換回路１７０及び１７２は，外部の点検装置３００に接続されており，それぞれ，信号経路Ｉ及び／又は信号経路ＩＩを流れたフレーム群が伝送された電気信号（シリアル信号）を受け取り，これを光信号に変換して，光伝送路１１８を介して点検装置３００に供給する。
【００２１】
図２は，光通信装置１００の第２実施形態の構成を示す図である。以下において，第１実施形態と異なる点を中心に第２実施形態の光通信装置１００について説明する。なお，第１実施形態と同一の符号を付した構成については，第１実施形態と同様の機能を有する。
【００２２】
本実施形態の光通信装置１００は，ミラーリング部２００が，選択部の一例であるスイッチ１８０をさらに備える点において，第１実施形態の構成と異なる。スイッチ１８０は，スプリッタ１３０及び１３２がそれぞれ生成した電気信号の双方を受け取り，その一方をフィルタ１４０に供給する。すなわち，スイッチ１８０は，信号経路Ｉ及び信号経路ＩＩを流れるフレーム群のいずれか一方を，フィルタ１４０に供給する。そして，光通信装置１００は，ＦＩＦＯ１５０，ＰＨＹ回路１６０，及び変換回路１７０を介して，スイッチ１８０が選択した信号経路Ｉ又はＩＩを流れたフレーム群を伝送する光信号を，光伝送路１１８を介して外部の点検装置３００に供給する。
【００２３】
以上の実施形態では，信号経路Ｉ及び／又はＩＩを流れる，保守フレーム等を含むフレーム群を複製した光信号を外部装置に供給できることとなる。すなわち，以上の実施形態では，信号経路Ｉ及び／又はＩＩを流れるフレーム群に影響を与えることなく，それを流れる保守フレーム等を確認することができることとなる。したがって，以上の実施形態によれば，通信回線を維持したまま当該通信回線の状態を確認することができるため，例えば，障害発生時において障害がネットワーク機器によるものか回線によるものか等の解析，通信回線のトラフィックの確認，通信回線の品質チェック等を，通信回線を維持したまま行うことができる。  
【００２４】
また，以上の実施形態によれば，信号経路Ｉ及び／又はＩＩを流れるフレーム群をそのまま複製しており，フィルタにより特定の用途にのみ用いられる所望のフレームのみを通過させることができるので，例えば，フィルタにＶｏＩＰに関するフレームのみを通過させて通話品質を確認する等の当該特定の用途についての保守管理を行うこともできる。
【００２５】
以上の実施形態において，点検装置３００は，光通信装置１００から供給された光信号に基づいて通信回線の点検等を行うが，光通信装置１００は，点検装置３００に当該光信号に代えて電気信号を供給し，点検装置３００は，当該電気信号に基づいて，通信回線の点検等を行ってもよい。この場合，光通信装置１００は，変換回路１７０及び１７２，又は変換回路１７０及び１７２並びにＰＨＹ回路１６０及び１６２を有しなくともよい。また，光通信装置１００は，変換回路１７０及び１７２の他に，当該電気信号を出力する端子等をさらに有してもよい。
【００２６】
また，以上の実施形態において，光通信装置１００は，光伝送路１１４及び１１６を介して光信号を受け取り，フレーム群を複製しているが，光通信装置１００は，光信号に代えて当該フレーム群を伝送する電気信号を受け取り，それを複製して，点検装置３００に供給してもよい。この場合，光通信装置１００は，変換回路１７０及び１７２，又は変換回路１７０及び１７２並びにＰＨＹ回路１６０及び１６２を有しなくともよい。また，光通信装置１００は，変換回路１７０及び１７２の他に，当該電気信号を入出力する端子等をさらに有してもよい。
【００２７】
上記発明の実施形態を通じて説明された実施例や応用例は，用途に応じて適宜に組み合わせて，又は変更若しくは改良を加えて用いることができ，本発明は上述した実施形態の記載に限定されるものではない。そのような組み合わせ又は変更若しくは改良を加えた形態も本発明の技術的範囲に含まれ得ることが，特許請求の範囲の記載から明らかである。
【図面の簡単な説明】
【００２８】
【図１】光通信装置１００の第１実施形態の構成を示す図である。
【図２】光通信装置１００の第２実施形態の構成を示す図である。
【符号の説明】
【００２９】
１００・・・光通信装置，１１０，１１２・・・変換回路，１１４，１１６，１１８・・・光伝送路，１２０，１２２，１６０，１６２・・・ＰＨＹ回路，１３０，１３２・・・スプリッタ，１４０，１４２・・・フィルタ，１５０，１５２・・・ＦＩＦＯ，１７０，１７２・・・変換回路，１８０・・・スイッチ，２００・・・ミラーリング部，２１０・・・フレーム複製部，３００・・・点検装置
【図１】
2006115029.tif 000003
【図２】
2006115029.tif 000004